(57)【要約】【課題】６本のワイヤによってレンズホルダを支持した場合でも、レンズホルダの予期せぬ動きを防止でき、かつ、仕様が同一の基板を左右の中継基板として用いることのできる光ヘッド装置を提供すること。【解決手段】６本のワイヤでレンズホルダを支持した光ヘッド装置において、中継基板７Ａ、７Ｂはいずれも、外周形状が上下対称である。また、中継基板７Ａ、７Ｂにおいて、第２の導電パターン７２Ａ、７２Ｂがそれ自身、上下対称なコの字形状に形成され、かつ、第１の導電パターン７１Ａ、７１Ｂと第２の導電パターン７２Ａ、７２Ｂとは上下対称である。従って、中段に位置するワイヤ５Ａ、５Ｂを中間位置から上方に偏った位置に配置した場合でも、同一仕様の基板を中継基板７Ａ、７Ｂとして使用することができる。【選択図】      図４
2005018861.tif 000002
【特許請求の範囲】
【請求項１】
光源からの出射光を光記録媒体に収束させる対物レンズを保持するレンズホルダと、該レンズホルダの左右両側で上下３段に配置された計６本のワイヤにより前記レンズホルダをトラッキング方向、フォーカシング方向、およびチルト方向に変位可能に支持するホルダ支持部材と、前記レンズホルダの側に搭載されたトラッキング用、フォーカシング用、およびチルト用の３種の駆動コイルと、該３種の駆動コイルと磁気駆動回路を構成する駆動マグネットとを有し、前記６本のワイヤは各々、前記複数の駆動コイルへの給電ワイヤとして用いられている光ヘッド装置において、
前記レンズホルダの左右両側で、片側３本のワイヤのうち、中段に位置するワイヤは、上段のワイヤと下段のワイヤの中間位置から上方あるいは下方に偏った位置に配置されているとともに、
前記レンズホルダの左右両側には、片側３本の前記ワイヤのうち、上段のワイヤが電気的に接続される第１のワイヤ接続用ランドを備えた第１の導電パターン、中段のワイヤが電気的に接続される第２のワイヤ接続用ランドを備えた第２の導電パターン、および下段のワイヤが電気的に接続される第３のワイヤ接続用ランドを備えた第３の導電パターンが形成された中継基板が各々、固着され、
左右両側の前記中継基板はいずれも、前記第１の導電パターンと前記第３の導電パターンとが略上下対称に形成されているとともに、前記第２の導電パターンはそれ自身、略上下対称に形成されていることを特徴とする光ヘッド装置。
【請求項２】
請求項１において、左右両側の前記中継基板はいずれも、略上下対称な外周形状を有していることを特徴とする光ヘッド装置。
【請求項３】
請求項１または２において、前記第２の導電パターンは、前記第２のワイヤ接続用ランド、該第２のワイヤ接続用ランドと略上下対称なコイル接続用ランド、および前記第２のワイヤ接続用ランドと前記コイル接続用ランドとを接続する配線パターンを備えていることを特徴とする光ヘッド装置。
【請求項４】
請求項１ないし３のいずれかにおいて、前記中段のワイヤは、前記上段のワイヤおよび前記下段のワイヤと比較して細い線材からなることを特徴とする光ヘッド装置。
【請求項５】
請求項１ないし４のいずれかにおいて、前記片側３本のワイヤのうち、近接し合う２本のワイヤのばね定数は、他の１本のワイヤのばね定数と略等しいことを特徴とする光ヘッド装置。
【発明の詳細な説明】
【０００１】
【発明の属する技術分野】
本発明は、ＣＤやＤＶＤなどの光記録ディスクの再生等に用いられる光ヘッド装置に関するものである。さらに詳しくは、レンズホルダが複数本のワイヤで支持されたワイヤサスペンションタイプの光ヘッド装置に関するものである。
【０００２】
【従来の技術】
ＣＤやＤＶＤなどの光記録ディスクの記録、再生等に用いられる光ヘッド装置として、対物レンズを保持したレンズホルダをワイヤによって支持したワイヤサスペンション方式の対物レンズ駆動装置を備えた光ヘッド装置が知られている（例えば、特許文献１参照）。
【０００３】
このようなワイヤサスペンション方式の光ヘッド装置において、ワイヤは駆動コイルへの給電ワイヤとしても用いられる。このため、フォカーシング方向、トラッキング方向、およびチルト方向への制御も行うには、図６に示すように、レンズホルダ３の左右両側に、素材および線径（断面積）が同一の３本のワイヤ４、５、６を等しい間隔で上下に配置することになる。また、レンズホルダ３の左右両側に中継基板７を取り付け、この中継基板７に形成されている導電パターン７１、７２、７３を介して各ワイヤ４、５、６から各駆動コイルへの給電を行うことになる。従って、中継基板７では、第１の導電パターン４のワイヤ接続用ランド７１１に上段のワイヤ４がハンダで接続され、第２の導電パターン７２のワイヤ接続用ランド７２１に中段のワイヤ５がハンダで接続され、第３の導電パターン７３のワイヤ接続用ランド７３１に下段のワイヤ６がハンダで接続される。
【０００４】
ここで、３本のワイヤ４、５、６は、等しい間隔で配置されているため、中継基板７上において、ワイヤ接続用ランド７１１、７２１、７３１も等間隔に形成されている。
【０００５】
【特許文献１】
特開平７−７３４８６号公報
【０００６】
【発明が解決しようとする課題】
しかしながら、片側３本のワイヤ４、５、６でレンズホルダ３を支持した場合、レンズホルダ３をチルト方向に駆動した際に、中段のワイヤ５が突っ張ってしまい、レンズホルダ３に予期せぬ動きが発生するという問題点がある。
【０００７】
このような問題点に関して、本願出願人は、種々検討した結果、図７に示すように、中段に位置するワイヤ５を上段のワイヤ４と下段のワイヤ６の中間位置から上方あるいは下方に偏った位置に配置すれば、中段のワイヤ５の突っ張りに起因するレンズホルダ２の予期せぬ動きを防止できるという知見を得た。しかしながら、この場合、中段のワイヤ５の位置を上方にずらしたことに合わせて、中継基板７では、中央のワイヤ接続用ランド７２１の位置も上方にずらす必要がある。その結果、左右に配置する中継基板７として同一仕様のものを使用できなくなる。それ故、部品種類が増えるという新たな問題点が発生するとともに、２種類の中継基板を用いると、中継基板を左右、間違えて使用してしまうという問題点もある。
【０００８】
以上の問題点に鑑みて、本発明の課題は、６本のワイヤによってレンズホルダを支持した場合でも、中段のワイヤの突っ張りに起因するレンズホルダの予期せぬ動きを防止でき、かつ、仕様が同一の基板を左右の中継基板として用いることのできる光ヘッド装置を提供することにある。
【０００９】
【課題を解決するための手段】
上記課題を解決するために、本発明では、光源からの出射光を光記録媒体に収束させる対物レンズを保持するレンズホルダと、該レンズホルダの左右両側で上下３段に配置された計６本のワイヤにより前記レンズホルダをトラッキング方向、フォーカシング方向、およびチルト方向に変位可能に支持するホルダ支持部材と、前記レンズホルダの側に搭載されたトラッキング用、フォーカシング用、およびチルト用の３種の駆動コイルと、該３種の駆動コイルと磁気駆動回路を構成する駆動マグネットとを有し、前記６本のワイヤは各々、前記複数の駆動コイルへの給電ワイヤとして用いられている光ヘッド装置において、前記レンズホルダの左右両側で、片側３本のワイヤのうち、中段に位置するワイヤは、上段のワイヤと下段のワイヤの中間位置から上方あるいは下方に偏った位置に配置されているとともに、前記レンズホルダの左右両側には、片側３本の前記ワイヤのうち、上段のワイヤが電気的に接続される第１のワイヤ接続用ランドを備えた第１の導電パターン、中段のワイヤが電気的に接続される第２のワイヤ接続用ランドを備えた第２の導電パターン、および下段のワイヤが電気的に接続される第３のワイヤ接続用ランドを備えた第３の導電パターンが形成された中継基板が各々、固着され、左右両側の前記中継基板はいずれも、前記第１の導電パターンと前記第３の導電パターンとが略上下対称に形成されているとともに、前記第２の導電パターンはそれ自身、略上下対称に形成されていることを特徴とする。
【００１０】
本発明において、中段に位置するワイヤは、上段のワイヤと下段のワイヤの中間位置から上方あるいは下方に偏った位置に配置されているため、中段のワイヤの突っ張りに起因するレンズホルダの予期せぬ動きを防止できる。また、中継基板では、第１の導電パターンと第３の導電パターンとが略上下対称に形成されているとともに、第２の導電パターンはそれ自身、略上下対称に形成されているため、中段に位置するワイヤを中間位置から上方あるいは下方に偏った位置に配置した場合でも、仕様が同一の基板を左右の中継基板として用いることのできる。従って、部品種類が増えることがなく、かつ、中継基板を左右、間違えて使用することもない。
【００１１】
本発明において、左右両側の前記中継基板はいずれも、略上下対称な外周形状を有していることが好ましい。このように構成すると、レンズホルダの左右において、中継基板の取り付け構造を完全に対称なものとして構成できる。
【００１２】
本発明において、前記第２の導電パターンは、例えば、前記第２のワイヤ接続用ランド、該第２のワイヤ接続用ランドと略上下対称なコイル接続用ランド、および前記第２のワイヤ接続用ランドと前記コイル接続用ランドとを接続する配線パターンを備えている構成を採用することができる。
【００１３】
本発明において、前記中段のワイヤは、前記上段のワイヤおよび前記下段のワイヤと比較して細い線材からなることが好ましい。このように構成すると、中段のワイヤの突っ張りに起因するレンズホルダの予期せぬ動きを確実に防止できる。
【００１４】
本発明において、前記片側３本のワイヤのうち、近接し合う２本のワイヤのばね定数は、他の１本のワイヤのばね定数と略等しいことが好ましい。このように構成すると、中段のワイヤの突っ張りに起因するレンズホルダの予期せぬ動きをさらに確実に防止できる。
【００１５】
【発明の実施の形態】
図面を参照して、本発明の実施の形態を説明する。
【００１６】
（全体構成）
図１、図２および図３は、本発明を適用したワイヤサスペンション方式の光ヘッド装置の斜視図、要部の正面図、および要部の左側面図である。図４（Ａ）、（Ｂ）は、図１に示す光ヘッド装置において、レンズホルダの左側でワイヤが接続される中継基板の説明図、およびレンズホルダの右側でワイヤが接続される中継基板の説明図である。
【００１７】
図１、図２および図３に示す光ヘッド装置１００は、ＣＤあるいはＤＶＤなどの光記録ディスクに対する情報記録、情報再生を行うものであり、その光学系については図示を省略するが、レーザ光源から出射されたレーザ光をハーフミラーで反射し、対物レンズ２で集光させて光記録ディスクの情報記録面に焦点を結ぶように構成されている。光記録ディスクで反射した光は、対物レンズ２およびハーフミラーを通過して光検出器に入射させ、この光検出器の受光する光信号に基づいて情報再生処理が行われる。また、光検出器から出力信号に基づいて、対物レンズ駆動機構１を駆動制御して対物レンズ２のトラッキング方向（矢印Ｔｒで示す）、フォーカシング方向（矢印Ｆｏで示す）、およびチルト方向（矢印Ｔｉで示す）の位置や角度をサーボ制御する一方、レーザ光源を駆動制御する。
【００１８】
対物レンズ駆動機構１は、対物レンズ２を保持するレンズホルダ３と、このレンズホルダ３の左右両側で上下３段に配置された計６本のワイヤ４Ａ、４Ｂ、５Ａ、５Ｂ、６Ａ、６Ｂによりレンズホルダ３をトラッキング方向、フォーカシング方向、およびチルト方向に変位可能に支持するホルダ支持部材１０と、レンズホルダ３の側に搭載されたトラッキング用、フォーカシング用、およびチルト用の３種の駆動コイル１２、１３、１４と、これら３種の駆動コイル１２、１３、１４とトラッキング用、フォーカシング用、およびチルト用の磁気駆動回路を構成する駆動マグネット１５、１６とを有している。
【００１９】
これらの駆動コイルおよび駆動マグネットのうち、フォーカシング用駆動コイル１２は、レンズホルダ３の胴部に巻回され、このフォーカシング用駆動コイル１２の外面に４個の平面コイルからなるトラッキング用駆動コイル１３が貼付されている。一対のチルト用駆動コイル１４は、角筒状のコイルであり、フォーカシング用駆動コイル１２の内側でレンズホルダ３に形成された穴内に装着されている。
【００２０】
また、ホルダ支持部材１０の側には、フォーカシング用駆動コイル１２、およびトラッキング用駆動コイル１３に対向するように一対のトラッキング・フォーカシング用駆動マグネット１５が配置され、フォーカシング用駆動コイル１２、およびチルト用駆動コイル１４に対向するように一対のフォーカシング・チルト用駆動マグネット１６が配置されている。ここで、フォーカシング・チルト用駆動マグネット１６は、レンズホルダ３に対してトラッキング方向Ｔｒの外側でホルダ支持部材１０の底板から起立形成した外ヨーク１７の内面に固着されている。一対のトラッキング・フォーカシング用駆動マグネット１５は、フォーカシング・チルト用駆動マグネット１６に対して直交する向きにホルダ支持部１０の底板から起立形成した一対の外ヨーク１９の内面に固着されている。なお、ホルダ支持部材１０には、外ヨーク１７の内面に対向する位置に内ヨーク１８が起立形成されているとともに、レンズホルダ３の内側で外ヨーク１９の内面に対向する位置には内ヨーク２０が起立形成されている。
【００２１】
このように構成した対物レンズ駆動機構１において、フォーカシング用駆動コイル１２はフォーカシング・チルト用駆動マグネット１６と、トラッキング・フォーカシング用駆動マグネット１５に対向しており、フォーカシング用駆動コイル１２に通電することにより、レンズホルダ３をフォーカシング方向Ｆｏに駆動することができる。チルト用駆動コイル１４は、筒状コイルの側面がフォーカシング・チルト用駆動マグネット１６に対向しており、チルト用駆動コイル１４に通電することにより、レンズホルダ３をチルト方向Ｔｉに駆動することができる。トラッキング用駆動コイル１３は、トラッキング・フォーカシング用駆動マグネット１５に対向しており、トラッキング用駆動コイル１３に通電することにより、レンズホルダ３をトラッキング方向Ｔｒに駆動することができる。
【００２２】
（ワイヤのレイアウト）
図１、図２、図３、および図４に示すように、対物レンズ駆動機構１において、レンズホルダ３を支持する６本のワイヤ４Ａ、４Ｂ、５Ａ、５Ｂ、６Ａ、６Ｂのうち、上段のワイヤ４Ａ、４Ｂ、中段のワイヤ５Ａ、５Ｂは、レンズホルダ３の左右のいずれの側においても、レンズホルダ３の側面に形成されたワイヤ支持部２３Ａ、２３Ｂの穴２３１Ａ、２３１Ｂ、２３２Ａ、２３２Ｂ内に通されている。上段のワイヤ４Ａ、４Ｂは、ワイヤ支持部２３Ａ、２３Ｂの穴２３１Ａ、２３１Ｂ内に接着固定されている一方、中段のワイヤ５Ａ、５Ｂは、ワイヤ支持部２３Ａ、２３Ｂの穴２３２Ａ、２３２Ｂ内に通されているだけであり、接着固定されていない。
【００２３】
下段のワイヤ６Ａ、６は、レンズホルダ３の左右のいずれの側においても、レンズホルダ３の側面に形成されたワイヤ支持部２４Ａ、２４Ｂの穴２４１Ａ、２４１Ｂ内に通され、かつ、穴２４１Ａ、２４１Ｂ内に接着固定されている。
【００２４】
このため、６本のワイヤ４Ａ、４Ｂ、５Ａ、５Ｂ、６Ａ、６Ｂは、左右いずれにおいても、中段に位置するワイヤ５Ａ、５Ｂが、上段のワイヤ４Ａ、４Ｂと下段のワイヤ６Ａ、６Ｂの中間位置から上方に偏った位置に配置され、上段のワイヤ４Ａ、４Ｂと中段のワイヤ５Ａ、５Ｂとは近接している。
【００２５】
（中継基板の構成）
レンズホルダ３を支持する６本のワイヤ４Ａ、４Ｂ、５Ａ、５Ｂ、６Ａ、６Ｂは各々、駆動コイル１２、１３、１４への給電ワイヤとして用いられている。このため、ワイヤ４Ａ、４Ｂ、５Ａ、５Ｂ、６Ａ、６Ｂの基端側は、ホルダ支持部材１０に対して垂直に取り付けた例えばプリント基板２１の配線パターンに半田等により各々固定されている。また、レンズホルダ３の左右両側には、中継基板７Ａ、７Ｂが固着されており、ワイヤ４Ａ、４Ｂ、５Ａ、５Ａ、６Ａ、６Ｂの先端側が中継基板７Ａ、７Ｂにハンダにより固定されている。
【００２６】
ここで、中継基板７Ａ、７Ｂは、上下各々に前後方向に突き出た突出部７０１Ａ、７０１Ｂ、７０２Ａ、７０２Ｂ、７０３Ａ、７０３Ｂ、７０４Ａ、７０４Ｂを備えており、外周形状は、その中間水平線を中心に上下対称である。
【００２７】
中継基板７Ａ、７Ｂには、上段のワイヤ４Ａ、４Ｂがハンダにより接続される第１のワイヤ接続用ランド７１１Ａ、７１１Ｂ、フォーカシング用駆動コイル１２の端末がハンダにより接続される第１のワイヤ接続用ランド７１２Ａ、７１２Ｂ、および第１のワイヤ接続用ランド７１１Ａ、７１１Ｂと第１のワイヤ接続用ランド７１２Ａ、７１２Ｂとを接続する第１の配線部７１３Ａ、７１３Ｂを備えた第１の導電パターン７１Ａ、７１Ｂが形成されている。また、中継基板７Ａ、７Ｂには、中段のワイヤ５Ａ、５Ｂがハンダにより接続される第２のワイヤ接続用ランド７２１Ａ、７２１Ｂ、チルト駆動コイル１４の端末がハンダにより接続される第２のワイヤ接続用ランド７２２Ａ、７２２Ｂ、および第２のワイヤ接続用ランド７１１Ａ、７１１Ｂと第２のワイヤ接続用ランド７２２Ａ、７２２Ｂとを接続する第２の配線部７２３Ａ、７２３Ｂを備えた第２の導電パターン７２Ａ、７２Ｂが形成されている。さらに、中継基板７Ａ、７Ｂには、下段のワイヤ６Ａ、６Ｂがハンダにより接続される第３のワイヤ接続用ランド７３１Ａ、７３１Ｂ、トラッキング駆動コイル１３の端末がハンダにより接続される第３のワイヤ接続用ランド７３２Ａ、７３２Ｂ、および第３のワイヤ接続用ランド７３１Ａ、７３１Ｂと第３のワイヤ接続用ランド７３２Ａ、７３２Ｂとを接続する第３の配線部７３３Ａ、７３３Ｂを備えた第３の導電パターン７３Ａ、７３Ｂが形成されている。従って、中継基板７Ａ、７Ｂを介して、ワイヤ４Ａ、４Ｂ、５Ａ、５Ｂ、６Ａ、６Ｂから駆動コイル１２、１３、１４への給電が可能である。
【００２８】
ここで、第２の導電パターン７２Ａ、７２Ｂは、第２のワイヤ接続用ランド７２１Ａ、７２１Ｂと、第２のコイル接続用ランド７２２Ａ、７２２Ｂが上下対称に形成され、第２の導電パターン７２Ａ、７２Ｂは、それ自身、第１の導電パターン７１Ａ、７１Ｂと第３の導電パターン７３Ａ、７３Ｂの中間水平線を中心に上下対称なコの字形状に形成されている。
【００２９】
一方、第１の導電パターン７１Ａ、７１Ｂは、第２のワイヤ接続用ランド７２１Ａ、７２１Ｂの上方（突出部７０１Ａ、７０１Ｂ）に第１のワイヤ接続用ランド７１１Ａ、７１１Ｂを備え、第２のワイヤ接続用ランド７２１Ａ、７２１Ｂの下方に第１のコイル接続用ランド７１２Ａ、７１２Ｂを備えており、略逆Ｓ字形状を有している。
【００３０】
これに対して、第３の導電パターン７３Ａ、７３Ｂは、第２のコイル接続用ランド７２２Ａ、７２２Ｂの下方（突出部７０２Ａ、７０２Ｂ）に第３のワイヤ接続用ランド７３１Ａ、７３１Ｂを備え、第２のコイル接続用ランド７２２Ａ、７２２Ｂの上方位置に第３のコイル接続用ランド７３２Ａ、７３２Ｂを備えており、第１の導電パターン７１Ａ、７１Ｂに対して上下対称な略Ｓ字形状を備えている。
【００３１】
（ワイヤのばね定数）
ワイヤ４Ａ、４Ｂ、５Ａ、５Ｂ、６Ａ、６Ｂは、例えばベリリウム銅、リン青銅などの弾性を有する金属素材から構成されている。また、ワイヤ４Ａ、４Ｂ、５Ａ、５Ｂ、６Ａ、６Ｂは、外径寸法が例えば０．０８〜１．５ｍｍ程度であり、その外径寸法（断面積）、および長さ寸法に対応するばね定数を有している。
【００３２】
本形態では、上段のワイヤ４Ａ、４Ｂは、プリント基板２１との固定箇所（基端側固定点ｆ１）から、上段のワイヤ４Ａ、４Ｂとレンズホルダ３のワイヤ支持部２３との固定箇所（先端側固定点ｆ２）までの長さを下段のワイヤ６Ａ、６Ｂと等しくしてあるが、上段のワイヤ４Ａ、４Ｂとしては、下段のワイヤ６Ａ、６Ｂよりも線径がやや細いものが用いられている。このため、上段のワイヤ４Ａ、４Ｂのばね定数は、下段のワイヤ６Ａ、６Ｂよりもやや小さい。
【００３３】
また、レンズホルダ３の左右いずれにおいても、中段のワイヤ５Ａ、５Ｂは、上段のワイヤ４Ａ、４Ｂよりも線径がさらに細いものが用いられている。しかも、中段のワイヤ５Ａ、５Ｂについては、基端側固定点ｆ１から中継基板７Ａ、７Ｂとの固定箇所（先端側固定点ｆ３）までの長さを、上段のワイヤ４Ａ、４Ｂ、および下段のワイヤ６Ａ、６Ｂにおける基端側固定点ｆ１から先端側固定点ｆ２までの長さよりも長くしている。このため、中段のワイヤ５Ａ、５Ｂのばね定数は、上段のワイヤ４Ａ、４Ｂよりもさらに小さくなっている。このようにして、ワイヤ４Ａ、４Ｂとワイヤ５Ａ、５Ｂの合成したばね定数は、下段のワイヤ６Ａ、６Ｂのばね定数と略等しくなるように設計されている。
【００３４】
（本形態の効果）
このように構成した光ヘッド装置１００では、レンズホルダ３を支持する６本のワイヤ４Ａ、４Ｂ、５Ａ、５Ｂ、６Ａ、６Ｂは、左右いずれにおいても、中段に位置するワイヤ５Ａ、５Ｂは、上段のワイヤ４Ａ、４Ｂと下段のワイヤ６Ａ、６Ｂの中間位置から上方に偏った位置に配置され、上段のワイヤ４Ａ、４Ｂと中段のワイヤ５Ａ、５Ｂとは近接している。しかも、中段のワイヤ５Ａ、５Ｂについては細いものを用い、かつ、近接する上段のワイヤ４Ａ、４Ｂとワイヤ５Ａ、５Ｂの合成したばね定数は、下段のワイヤ６Ａ、６Ｂのばね定数と略等しくなるように設計されている。従って、片側２本、計４本のワイヤによってレンズホルダ３を支持することと等価であるため、チルト用駆動コイル１４に通電してチルト角を制御するときに、レンズホルダ３において、中段に位置するワイヤ５Ａ、５Ｂの突っ張りなどに起因する予期せぬ動きが起こらないので、正確なチルト制御が可能となる。
【００３５】
また、本形態では、中継基板７Ａ、７Ｂはいずれも、外周形状が単純な四角形状ではないが、中間水平線を中心に上下対称である。また、中継基板７Ａ、７Ｂはいずれにおいても、第２の導電パターン７２Ａ、７２Ｂがそれ自身、上下対称なコの字形状に形成され、かつ、第１の導電パターン７１Ａ、７１Ｂと第２の導電パターン７２Ａ、７２Ｂとは上下対称である。従って、左側の中継基板７Ａと、右側の中継基板７Ｂとは、上下反転すれば完全に重なる。それ故、同一仕様の基板を突出部７０３Ａ、７０４Ａを前方に向けてレンズホルダ３の左側に中継基板７Ａとして取り付ければよく、同一仕様の基板を上下反転させて突出部７０３Ｂ、７０４Ｂを前方に向けてレンズホルダ３の右側に中継基板７Ｂとして取り付ければよい。それ故、中段に位置するワイヤ５Ａ、５Ｂを中間位置から上方に偏った位置に配置した場合でも、仕様が同一の基板を左右の中継基板７Ａ、７Ｂとして用いることができるので、部品種類が増えることがなく、かつ、中継基板７Ａ、７Ｂを左右、間違えて使用することもない。
【００３６】
（その他の実施の形態）
上記実施の形態では、中継基板７Ａ、７Ｂは、上下各々に前後方向に突き出た突出部７０１Ａ、７０１Ｂ、７０２Ａ、７０２Ｂ、７０３Ａ、７０３Ｂ、７０４Ａ、７０４Ｂを備えたものを用いたが、図５（Ａ）、（Ｂ）に示すように、左側の中継基板７Ａ、および右側の中継基板７Ｂとして、単純な矩形の基板に対して、各々コの字形状の第１の導電パターン７１Ａ、７１Ｂ、第２の導電パターン７２Ａ、７２Ｂ、および第３の導電パターン７３Ａ、７３Ｂを形成したものを用いてもよい。この場合も、中継基板７Ａ、７Ｂにおいても、第２の導電パターン７２Ａ、７２Ｂがそれ自身、上下対称なコの字形状に形成され、かつ、第１の導電パターン７１Ａ、７１Ｂと第２の導電パターン７２Ａ、７２Ｂとは上下対称であれば、同一仕様の基板を中継基板７Ａ、７Ｂとして使用することができる。
【００３７】
また、上記形態では、中段に位置するワイヤ５Ａ、５Ｂを中間位置から上方に偏った位置に配置した例であったが、ワイヤ５Ａ、５Ｂを中間位置から下方に偏った位置に配置した場合に本発明を適用してもよい。
【００３８】
【発明の効果】
以上説明したように、本発明の光ヘッド装置では、レンズホルダの左右両側で、中段に位置するワイヤは、上段のワイヤと下段のワイヤの中間位置から上方あるいは下方に偏った位置に配置されているため、中段のワイヤの突っ張りに起因するレンズホルダの予期せぬ動きを防止できる。また、中継基板では、第１の導電パターンと第３の導電パターンとが略上下対称に形成されているとともに、第２の導電パターンはそれ自身、略上下対称に形成されているため、中段に位置するワイヤを中間位置から上方あるいは下方に偏った位置に配置した場合でも、仕様が同一の基板を左右の中継基板として用いることのできる。従って、部品種類が増えることがなく、かつ、中継基板を左右、間違えて使用することもない。
【図面の簡単な説明】
【図１】本発明を適用したワイヤサスペンション方式の光ヘッド装置の斜視図である。
【図２】図１に示すワイヤサスペンション方式の光ヘッド装置の要部の正面図である。
【図３】図１に示すワイヤサスペンション方式の光ヘッド装置の要部の左側面図である。
【図４】（Ａ）、（Ｂ）は、図１に示す光ヘッド装置において、レンズホルダの左側でワイヤが接続される中継基板の説明図、およびレンズホルダの右側でワイヤが接続される中継基板の説明図である。
【図５】（Ａ）、（Ｂ）は、図１に示す光ヘッド装置において、レンズホルダの左側でワイヤが接続される別の中継基板の説明図、およびレンズホルダの右側でワイヤが接続される別の中継基板の説明図である。
【図６】従来の光ヘッドの説明図である。
【図７】参考例に係る光ヘッドの説明図である。
【符号の説明】
１  対物レンズ駆動機構
２  対物レンズ
３  レンズホルダ
４Ａ、４Ｂ  上段のワイヤ
５Ａ、５Ｂ  中段のワイヤ
６Ａ、６Ｂ  下段のワイヤ
７Ａ、７Ｂ  中継基板
１０  ホルダ支持部材
１２  フォーカシング用駆動コイル
１３  トラッキング用駆動コイル
１４  チルト用駆動コイル
１５  トラッキング・フォーカシング用駆動マグネット
１６  フォーカシング・チルト用駆動マグネット
７１Ａ、７１Ｂ  第１の導電パターン
７２Ａ、７２Ｂ  第２の導電パターン
７３Ａ、７３Ｂ  第３の導電パターン
１００  光ヘッド装置
７１１Ａ、７１１Ｂ  第１のワイヤ接続用ランド
７１２Ａ、７１２Ｂ  第１のコイル接続用ランド
７１３Ａ、７１３Ｂ  第１の配線部
７２１Ａ、７２１Ｂ  第２のワイヤ接続用ランド
７２２Ａ、７２２Ｂ  第２のコイル接続用ランド
７２３Ａ、７２３Ｂ  第２の配線部
７３１Ａ、７３１Ｂ  第３のワイヤ接続用ランド
７３２Ａ、７３２Ｂ  第３のコイル接続用ランド
７４３Ａ、７４３Ｂ  第３の配線部
【図１】
2005018861.tif 000003
【図２】
2005018861.tif 000004
【図３】
2005018861.tif 000005
【図４】
2005018861.tif 000006
【図５】
2005018861.tif 000007
【図６】
2005018861.tif 000008
【図７】
2005018861.tif 000009